(57)【特許請求の範囲】
【請求項１】
建物の壁面に沿って配管されるエアコン用の冷媒管およびドレン管を収容して保護する保護カバーであって、
前記壁面側に位置する基台と、
その基台に着脱可能または開閉可能に組み付けられて前記冷媒管および前記ドレン管を覆う蓋体と、
前記基台に取り付けられて、前記冷媒管が収容される冷媒管収容部と前記ドレン管が収容されるドレン管収容部とを仕切る仕切部材と、
からなり、
前記仕切部材は、前記冷媒管収容部と前記ドレン管収容部との左右の並びを逆にできるように、前記基台の左右のほぼ対称となる位置のいずれにも取り付け可能であることを特徴とする、冷媒管およびドレン管の保護カバー。
【請求項２】
前記冷媒管収容部および前記ドレン管収容部に、前記冷媒管および前記ドレン管の一本一本が横に並んで収容されることを特徴とする請求項１に記載の、冷媒管およびドレン管の保護カバー。
【請求項３】
前記仕切部材は、前記冷媒管を前記冷媒管収容部内に保持する保持部を備えることを特徴とする請求項１または２に記載の、冷媒管およびドレン管の保護カバー。
【請求項４】
前記基台と前記仕切部材との間に、前記ドレン管を前記ドレン管収容部に前記蓋体側から出し入れ可能とする開口部が形成されていることを特徴とする請求項３に記載の、冷媒管およびドレン管の保護カバー。
【請求項５】
前記基台および／または前記蓋体の側壁には、前記ドレン管収容部に収容される前記ドレン管を外部に導く透孔を形成するための透孔形成手段が設けられることを特徴とする請求項１ないし４のいずれか１項に記載の、冷媒管およびドレン管の保護カバー。
【請求項６】
前記保護カバーは、前記建物の壁面の一つの平面上において、前記冷媒管および前記ドレン管が曲がって配管される、曲がり配管部を収容するためのものであることを特徴とする請求項１ないし４のいずれか１項に記載の、冷媒管およびドレン管の保護カバー。
【請求項７】
前記基台および／または前記蓋体の、前記曲がり配管部の曲がる外周側に対応する側壁外周側コーナー部には、前記ドレン管収容部に収容される前記ドレン管を外部に導く透孔を形成するための透孔形成手段が設けられることを特徴とする請求項６に記載の、冷媒管およびドレン管の保護カバー。
【請求項８】
前記保護カバーは、前記冷媒管および前記ドレン管が直線状に配管される、直状配管部を収容するためのものであることを特徴とする請求項１ないし５のいずれか１項に記載の、冷媒管およびドレン管の保護カバー。
【請求項９】
建物の壁面に沿って配管されるエアコン用の冷媒管およびドレン管を収容して保護するカバー体であって、
前記壁面側に位置する基台と、その基台に着脱可能または開閉可能に組み付けられて前記冷媒管および前記ドレン管を覆う蓋体と、からなり、
前記基台は、前記冷媒管が収容される冷媒管収容部と前記ドレン管が収容されるドレン管収容部とを仕切る仕切部材を取り付ける、取付部を備え、
前記仕切部材は、前記冷媒管収容部と前記ドレン管収容部との左右の並びを逆にできるように、前記基台の左右のほぼ対称となる位置のいずれにも取り付け可能であることを特徴とする、冷媒管およびドレン管のカバー体。
【請求項１０】
前記冷媒管収容部および前記ドレン管収容部に、前記冷媒管および前記ドレン管の一本一本が横に並んで収容されることを特徴とする請求項９に記載の、冷媒管およびドレン管のカバー体。
【発明の詳細な説明】
【０００１】
【発明の属する技術分野】
この発明は、建物の壁面に沿って配管されるエアコン用の冷媒管およびドレン管の、保護カバー並びにカバー体に関するものである。
【０００２】
【従来の技術】
従来、建物の壁面に沿って配管されるエアコン用の冷媒管およびドレン管を保護する保護カバーとして、例えば、実開昭５７−１７９０８２号に示される保護カバー２１があった。かかる保護カバー２１は、図９に示されるように、冷媒管２２、２２を収容するための筒状のダクト本体２３が、半割り筒状部材２４、２５に二分割されて構成されていた。そして、一方の半割り筒状部材２４には、冷媒管２２とドレン管２６とが互いに干渉し合ってドレン管２６が冷媒管２２、２２によって押し潰されることがないよう、ドレン管２６を収容するための、断面ほぼ三角形状の筒からなるドレン通路形成用筒部２７が、この半割り筒状部材２４と一体成形されていた。
【０００３】
【発明が解決しようとする課題】
ところで、上記従来の保護カバー２１にあっては、ドレン管２６の配管の際、そのドレン管２６を、一方の半割り筒状部材２４のドレン通路形成用筒部２７内に、その軸方向から挿通させなければならなかった。従って、そのドレン管２６の配管作業は、困難であり、特に、ドレン管２６の配管経路に、屈曲部（出隅、入隅、曲がり等）がある場合には、一層困難となった。また、逆に、ドレン管２６を交換すべく、そのドレン管２６をドレン通路形成用筒部２７から除去する場合においても、ドレン管２６をドレン通路形成用筒部２７内を通過させて除去しなければならず、そのドレン管２６の除去作業もまた、困難であった。
【０００４】
また、ドレン通路形成用筒部２７内に挿通されたドレン管２６は、目視できず、このドレン管２６を確認することができないので、ドレン通路形成用筒部２７内にドレン管２６を挿通し忘れる虞があった。さらに、ドレン通路形成用筒部２７内に挿通されたドレン管２６は、目視したり手で触れたりすることができないため、例えば、ドレン管２６に潰れ部分があり、ドレン排出が滞る場合であっても、その潰れ部分を捜すことができず、従って、修理することもできなかった。
【０００５】
この発明は、上記した従来の欠点を解決するためになされたものであり、その目的とするところは、ドレン管が冷媒管によって押し潰される虞がなく、かつ、冷媒管やドレン管の、配管作業を容易に行うことができる、冷媒管およびドレン管の、保護カバー並びにカバー体を提供することにある。
【０００６】
また、他の目的は、ドレン管の交換作業を容易に行うことができる、冷媒管およびドレン管の、保護カバーを提供することにある。
【０００７】
また、他の目的は、ドレン管の配管の有無の確認や、ドレン管の潰れ部分の有無および位置の確認を容易に行うことができる、冷媒管およびドレン管の保護カバーを提供することにある。
【０００８】
【課題を解決するための手段】
この発明に係る冷媒管およびドレン管の、保護カバー並びにカバー体は、前記目的を達成するために、次の構成からなる。すなわち、
請求項１に記載の発明に係る冷媒管およびドレン管の保護カバーは、建物の壁面に沿って配管されるエアコン用の冷媒管およびドレン管を収容して保護する保護カバーであって、前記壁面側に位置する基台と、蓋体と、仕切部材と、からなる。ここで、前記蓋体は、前記基台に着脱可能または開閉可能に組み付けられて前記冷媒管および前記ドレン管を覆うものである。そして、前記仕切部材は、前記基台に取り付けられて、前記冷媒管が収容される冷媒管収容部と前記ドレン管が収容されるドレン管収容部とを仕切るものである。この仕切部材は、前記冷媒管収容部と前記ドレン管収容部との左右の並びを逆にできるように、前記基台の左右のほぼ対称となる位置のいずれにも取り付け可能である。
【０００９】
こうして、冷媒管が収容される冷媒管収容部と、ドレン管が収容されるドレン管収容部とは、仕切部材によって仕切られることとなり、これら冷媒管とドレン管とが互いに干渉し合うことを防ぐことができる。しかも、仕切部材は、基台に取り付けられるものであり、基台から蓋体の覆いを除き、基台に仕切部材が取り付けられる前においては、蓋体側から、つまり冷媒管収容部およびドレン管収容部の延びる方向と直交する方向となる蓋体側から、冷媒管収容部およびドレン管収容部に、冷媒管およびドレン管を入れることができる。しかも、仕切部材は、基台の左右のほぼ対称となる位置のいずれにも取り付け可能となっており、基台に対する仕切部材の取り付け位置を変えることで、冷媒管収容部とドレン管収容部との並びを、左右逆にすることもできる。
【００１０】
また、請求項２に記載の発明に係る冷媒管およびドレン管の保護カバーのように、前記冷媒管収容部および前記ドレン管収容部に、前記冷媒管および前記ドレン管の一本一本が横に並んで収容されてもよい。
【００１１】
また、請求項３に記載の発明に係る冷媒管およびドレン管の保護カバーのように、前記仕切部材は、前記冷媒管を前記冷媒管収容部内に保持する保持部を備えてもよい。これにより、仕切部材を基台に取り付けることで、その仕切部材が備える保持部により、冷媒管は、冷媒管収容部内に保持される。従って、蓋体を基台に組み付ける際には、冷媒管は冷媒管収容部から飛び出すことなくその冷媒管収容部に納められており、その結果、基台への蓋体の組み付けにあたって、蓋体で冷媒管を押さえつける必要がない。
【００１２】
また、請求項４に記載の発明に係る冷媒管およびドレン管の保護カバーのように、前記基台と前記仕切部材との間に、前記ドレン管を前記ドレン管収容部に前記蓋体側から出し入れ可能とする開口部が形成されてもよい。これにより、仕切部材が基台に取り付けられた後においても、ドレン管を、開口部を通して、蓋体側から、つまりドレン管収容部の延びる方向と直交する方向となる蓋体側から、ドレン管収容部に入れることができる。また、このとき、予め冷媒管収容部に収容される冷媒管は、仕切部材の保持部によって保持されるので、ドレン管を、冷媒管によって邪魔されることなく、ドレン管収容部に入れることができる。また、逆に、仕切部材を基台から取り外すことなく、ドレン管収容部に収容されたドレン管を、開口部を通して、ドレン管収容部から、ドレン管収容部の延びる方向と直交する方向となる蓋体側に出すこともできる。また、このとき、冷媒管収容部に収容されている冷媒管は、仕切部材の保持部によって保持されているので、ドレン管を、冷媒管によって邪魔されることなく、ドレン管収容部から出すことができる。さらに、基台から蓋体の覆いを除くことで、開口部を通して、ドレン管収容部に収容されたドレン管を、目視したり、手で触れたりすることができる。
【００１３】
また、請求項５に記載の発明に係る冷媒管およびドレン管の保護カバーのように、前記基台および／または前記蓋体の側壁には、前記ドレン管収容部に収容される前記ドレン管を外部に導く透孔を形成するための透孔形成手段が設けられてもよい。こうして、基台および／または蓋体の側壁に設けられる透孔形成手段により、状況に応じて、側壁に透孔を形成することで、その透孔を通して、ドレン管収容部に収容されるドレン管が外部に導かれる。
【００１４】
また、請求項６に記載の発明に係る冷媒管およびドレン管の保護カバーのように、前記保護カバーは、前記建物の壁面の一つの平面上において、前記冷媒管および前記ドレン管が曲がって配管される、曲がり配管部を収容するためのものであってもよい。これにより、この保護カバーにより、冷媒管およびドレン管の曲がり配管部が、収容されて保護される。ここで、曲がり配管部は、建物の壁面の一つの平面上において、冷媒管およびドレン管が曲がって配管される曲がり配管部を示すものであり、建物の壁面の折れ曲がった二つの平面上、つまり、出隅や入隅における曲がり配管部を示すものではない。
【００１５】
また、請求項７に記載の発明に係る冷媒管およびドレン管の保護カバーのように、前記基台および／または前記蓋体の、前記曲がり配管部の曲がる外周側に対応する側壁外周側コーナー部には、前記ドレン管収容部に収容される前記ドレン管を外部に導く透孔を形成するための透孔形成手段が設けられてもよい。こうして、基台および／または蓋体の側壁外周側コーナー部に設けられる透孔形成手段により、状況に応じて、この側壁外周側コーナー部に透孔を形成することで、その透孔を通して、ドレン管収容部に収容されるドレン管が外部に導かれる。このとき、ドレン管は、基台および／または蓋体の側壁外周側コーナー部の透孔から外部に導かれるので、このドレン管の透孔付近における曲がりを小さくすることができる。
【００１６】
また、請求項８に記載の発明に係る冷媒管およびドレン管の保護カバーのように、前記保護カバーは、前記冷媒管および前記ドレン管が直線状に配管される、直状配管部を収容するためのものであってもよい。これにより、この保護カバーにより、冷媒管およびドレン管の直状配管部が、収容されて保護される。
【００１７】
【００１８】
【００１９】
また、請求項９に記載の発明に係る冷媒管およびドレン管のカバー体は、建物の壁面に沿って配管されるエアコン用の冷媒管およびドレン管を収容して保護するカバー体であって、前記壁面側に位置する基台と、その基台に着脱可能または開閉可能に組み付けられて前記冷媒管および前記ドレン管を覆う蓋体と、からなる。そして、前記基台は、前記冷媒管が収容される冷媒管収容部と前記ドレン管が収容されるドレン管収容部とを仕切る仕切部材を取り付ける、取付部を備える。この仕切部材は、前記冷媒管収容部と前記ドレン管収容部との左右の並びを逆にできるように、前記基台の左右のほぼ対称となる位置のいずれにも取り付け可能である
【００２０】
こうして、このカバー体の取付部に取り付けられる仕切部材により、冷媒管が収容される冷媒管収容部と、ドレン管が収容されるドレン管収容部とが、仕切られることとなり、これら冷媒管とドレン管とが互いに干渉し合うことを防ぐことができる。しかも、仕切部材は、基台に取り付けられるものであり、基台から蓋体の覆いを除き、基台に仕切部材が取り付けられる前においては、蓋体側から、つまり冷媒管収容部およびドレン管収容部の延びる方向と直交する方向となる蓋体側から、冷媒管収容部およびドレン管収容部に、冷媒管およびドレン管を入れることができる。しかも、仕切部材は、基台の左右のほぼ対称となる位置のいずれにも取り付け可能となっており、基台に対する仕切部材の取り付け位置を変えることで、冷媒管収容部とドレン管収容部との並びを、左右逆にすることもできる。
また、請求項１０に記載の発明に係る冷媒管およびドレン管のカバー体のように、前記冷媒管収容部および前記ドレン管収容部に、前記冷媒管および前記ドレン管の一本一本が横に並んで収容されてもよい。
【００２１】
【発明の実施の形態】
以下、この発明に係る冷媒管およびドレン管の、保護カバー並びにカバー体の実施の形態を図面に基づいて説明する。
【００２２】
図１ないし図５は、本発明に係る冷媒管およびドレン管の、保護カバー並びにカバー体の一実施の形態を示す。符号１は、建物の壁面としての外壁面である。３は、エアコン用の冷媒管であり、外壁面１に沿って、鉛直下方に延び、次いで、水平から若干下方に傾斜して延びるように外壁面１の一つの平面上において曲がって配管されている。こうして、冷媒管３は、外壁面１の一つの平面上において曲がって配管される曲がり配管部３ｃを備えている。４は、エアコン用のドレン管であり、前記冷媒管３に併設されるようにして、外壁面１に沿って配管されている。従って、このドレン管４は、前記冷媒管３と同様に、外壁面１の一つの平面上において曲がって配管される曲がり配管部４ｃを備えている。
【００２３】
符号６Ｙは、第１の直状保護カバーであり、冷媒管３、３およびドレン管４の、鉛直下方に延びる直線部分を収容して保護する。６Ｚは、第２の直状保護カバーであり、冷媒管３、３およびドレン管４の、水平から若干下方に傾斜して延びる直線部分を収容して保護する。８は、曲がり配管部保護カバーであり、第１の直状保護カバー６Ｙと第２の直状保護カバー６Ｚとを曲がってつなぐようにして、冷媒管３、３およびドレン管４の曲がり配管部３ｃ、３ｃ、４ｃを収容して保護する。
【００２４】
ここで、曲がり配管部保護カバー８は、図１ないし図４に示すように、カバー体Ｃ２を備え、このカバー体Ｃ２は、建物の外壁面１側に位置してその外壁面１に固定される基台１７と、その基台１７に着脱可能に組み付けられて冷媒管３、３およびドレン管４を覆う蓋体１８とからなる。さらに、曲がり配管部保護カバー８は、基台１７および蓋体１８とは別体成形の仕切部材１９を備え、この仕切部材１９は、基台１７に着脱可能に取り付けられて、冷媒管３、３が収容される冷媒管収容部８ａとドレン管４が収容されるドレン管収容部８ｂとを仕切っている。そして、これら基台１７、蓋体１８および仕切部材１９は、それぞれ、例えば、合成樹脂材料を射出成形して得られる。
【００２５】
曲がり配管部保護カバー８の基台１７は、図２および図３に示すように、建物の外壁面１に当接して、冷媒管３、３およびドレン管４の曲がり配管部３ｃ、３ｃ、４ｃを収容するよう曲がって形成される底壁１７ａと、その底壁１７ａの、曲がる内側および外側に若干の高さで立設する側壁１７ｂ、１７ｂとからなる。そして、この基台１７は、一方側（図示実施の形態においては上部部分）が、第１の直状保護カバー６Ｙの基台１３の下部部分よりも幅広となって重なるように配備され、そして、他方側（図示実施の形態においては右部部分）が、第２の直状保護カバー６Ｚの基台１３の左部部分よりも幅広となって重なるように配備される。そして、基台１７には、底壁１７ａの、曲がる内側のコーナーおよび外側のコーナーを結ぶラインＬ上にあって、左右のほぼ対称となる位置に二つ並ぶようにして、第１の取付部１７ｃ、１７ｃが設けられている。この第１の取付部１７ｃは、仕切部材１９の後述する第１の被取付部１９ｅを取り付けるためのものであって、底壁１７ａから円筒状に突出するように形成されており、その円筒内は、取付孔１７ｄとなっている。また、基台１７には、内側および外側の側壁１７ｂ、１７ｂの、前記ラインＬ上にあって左右のほぼ対称となる位置に、仕切部材１９の後述する第２の被取付部１９ｆを掛止できるように窪む、第２の取付部１７ｅが設けられている。こうして、第１および第２の取付部１７ｃ、１７ｅは、仕切部材１９を基台１７に取り付けるための仕切部材取付部１７ｆとなっている。さらに、第１の取付部１７ｃ、１７ｃおよび第２の取付部１７ｅ、１７ｅは、それぞれ、基台１７の、配管方向に直交する両側となる、左右のほぼ対称となる位置に一対設けられており、仕切部材１９を、冷媒管収容部８ａとドレン管収容部８ｂとの左右の並びを逆にするように、基台１７の左右のほぼ対称となる位置のいずれにも取付可能にしている。そして、基台１７の底壁１７ａには、この基台１７をネジ等の固定具により外壁面１に固定するための被固定孔１７ｇが設けられている。また、基台１７の、前記曲がり配管部４ｃの曲がる外周側に対応する側壁外周側コーナー部となる、外側の側壁１７ｂのコーナー部には、２本の切欠き１７ｈ、１７ｈが、第２の取付部１７ｅを挟むようにして、縦方向に設けられている。
【００２６】
曲がり配管部保護カバー８の蓋体１８は、図２に示すように、冷媒管３、３およびドレン管４の曲がり配管部３ｃ、３ｃ、４ｃを覆うように、そして、第１の直状保護カバー６Ｙの下部部分および第２の直状保護カバー６Ｚの左部部分を覆うように、基台１７と同様に曲がって形成されて、上壁１８ａから側壁１８ｂ、１８ｂに渡って、断面略円弧状に形成されている。そして、この蓋体１８には、それぞれの側壁１８ｂ、１８ｂの先端部分に、外側に突出する係合凸部（図示せず）が設けられており、これら係合凸部と、前記基台１７の側壁１７ｂ、１７ｂに内側に開口して設けられる係合凹部（図示せず）とが互いに係合することで、基台１７に蓋体１８が、着脱可能に組み付けられる構造となっている。さらに、蓋体１８の、前記曲がり配管部４ｃの曲がる外周側に対応する側壁外周側コーナー部となる外側の側壁１８ｂのコーナー部には、基台１７の切欠き１７ｈ、１７ｈと対応するように縦方向に２本の切欠き１８ｃ、１８ｃが、そして、それら切欠き１８ｃ、１８ｃの基端をつなぐように横方向に１本の切欠き１８ｄが設けられている（図２参照）。そして、この蓋体１８の外側の側壁１８ｂのコーナー部に設けられた切欠き１８ｃ、１８ｃ、１８ｄと、前記基台１７の外側の側壁１７ｂのコーナー部に設けられた切欠き１７ｈ、１７ｈとが、ドレン管収容部８ｂに収容されるドレン管４を外部に導く透孔を形成するための透孔形成手段となっている。すなわち、外側の側壁１７ｂ、１８ｂの一部を、切欠き１７ｈ、１７ｈ、１８ｃ、１８ｃ、１８ｄを利用して、折り取るまたは切り取ることで、その部分に透孔が形成される。
【００２７】
曲がり配管部保護カバー８の仕切部材１９は、図１および図２に示すように、全体が帯状に形成されて、冷媒管３、３が収容される冷媒管収容部８ａとドレン管４が収容されるドレン管収容部８ｂとを仕切る仕切部１９ａと、基台１７の仕切部材取付部１７ｆに取り付けられる被取付部１９ｂとからなる。ここで、仕切部１９ａは、第１および第２の仕切部１９ｃ、１９ｄからなる。第１の仕切部１９ｃは、冷媒管３、３の上面および側面を覆うように湾曲して形成されており、冷媒管３、３を冷媒管収容部８ａ内に保持する保持部となっている。また、第２の仕切部１９ｄは、ドレン管４の、冷媒管３側の側面のみを覆うように円弧状に形成されており、その結果、基台１７と、この第２の仕切部１９ｄの先端との間は、ドレン管４をドレン管収容部８ｂに蓋体１８側から出し入れ可能とする開口部８ｃとなっている。被取付部１９ｂは、第１および第２の被取付部１９ｅ、１９ｆからなり、第１の被取付部１９ｅは、第１および第２の仕切部１９ｃ、１９ｄの向かい合う一端を結ぶように形成されており、その中央には、基台１７の取付孔１７ｄと連なるように被取付孔１９ｇが設けられている。第２の被取付部１９ｆは、基台１７の第２の取付部１７ｅに掛止されるように、第１の仕切部１９ｃの他端から外側に折り返されるようにして延びている。こうして、この仕切部材１９は、図２に示すように、第２の被取付部１９ｆが基台１７の一方の第２の取付部１７ｅに掛止されて、第１の被取付部１９ｅが、被取付孔１９ｇに挿入されて基台１７の一方の第１の取付部１７ｃの取付孔１７ｄにねじ込まれる等するネジ等の取付具Ｔにより止められることで、基台１７に着脱可能に取り付けられる。また、冷媒管収容部８ａとドレン管収容部８ｂとの左右の並びを逆にする場合には、図４に示すように、仕切部材１９の左右を反転して、第２の被取付部１９ｆを基台１７の他方の第２の取付部１７ｅに掛止し、第１の被取付部１９ｅを基台１７の他方の第１の取付部１７ｃに止めるようにして、この仕切部材１９を基台１７に取り付ければ、対応することができる。このように、図示実施の形態においては、基台１７に対する仕切部材１９の取り付け位置を変えるだけで、冷媒管収容部８ａとドレン管収容部８ｂとの並びを、左右逆にすることができるようになっている。
【００２８】
次に、以上の構成からなる、カバー体Ｃ２および仕切部材１９からなる曲がり配管部保護カバー８の作用効果について説明する。冷媒管３、３が収容される冷媒管収容部８ａと、ドレン管４が収容されるドレン管収容部８ｂとは、合成樹脂材料からなる適度な剛性を備えた仕切部材１９によって仕切られることとなり、これら冷媒管３とドレン管４とが互いに干渉し合うことを防ぐことができる。従って、ドレン管４が冷媒管３によって押し潰される虞がない。
【００２９】
しかも、仕切部材１９は、基台１７に取り付けられるものであり、基台１７から蓋体１８の覆いを除き、基台１７に仕切部材１９が取り付けられる前においては、蓋体１８側から、つまり冷媒管収容部８ａおよびドレン管収容部８ｂの延びる方向と直交する方向となる蓋体１８側から、冷媒管収容部８ａおよびドレン管収容部８ｂに、冷媒管３、３およびドレン管４を入れることができ、冷媒管３、３やドレン管４の配管作業を容易に行うことができる。特に、ドレン管４にあっては、仕切部材１９を基台１７に取り付けた後においても、開口部８ｃを通して、蓋体１８側から、ドレン管収容部８ｂに、ドレン管４を出し入れすることができる。また、このとき、予め冷媒管収容部８ａに収容される冷媒管３、３は、後述のように仕切部材１９の第１の仕切部１９ｃによって保持されるので、ドレン管４を、冷媒管３、３によって邪魔されることなく、ドレン管収容部８ｂに出し入れするこができ、ドレン管４の、配管作業や交換作業を容易に行うことができる。さらに、基台１７から蓋体１８の覆いを除くことで、開口部８ｃを通して、ドレン管収容部８ｂに収容されたドレン管４を、目視したり、手で触れたりすることができ、ドレン管４の配管の有無の確認や、ドレン管４の潰れ部分の有無およびその位置の確認を容易に行うことができる。
【００３０】
また、仕切部材１９は、冷媒管３、３を冷媒管収容部８ａ内に保持する保持部となる第１の仕切部１９ｃを備えており、仕切部材１９を基台１７に取り付けることで、その仕切部材１９が備える第１の仕切部１９ｃにより、冷媒管３、３は、冷媒管収容部８ａ内に保持される。従って、蓋体１８を基台１７に組み付ける際には、冷媒管３、３は冷媒管収容部８ａから飛び出すことなくその冷媒管収容部８ａに納められている。よって、基台１７への蓋体１８の組み付けにあたって、蓋体１８で冷媒管３、３を押さえつける必要がなく、基台１７への蓋体１８の組み付けが容易となる。
【００３１】
また、基台１７および蓋体１８の側壁外周側コーナー部に設けられる切欠き１７ｈ、１８ｃ、１８ｄからなる透孔形成手段により、状況に応じて、この側壁外周側コーナー部に透孔を形成することで、その透孔を通して、ドレン管収容部８ｂに収容されるドレン管４が外部に導かれる。図５は、実際に透孔８ｄを形成して、ドレン管４が外部に導かれた状態を示す。このとき、ドレン管４は、側壁内周側コーナー部ではなく、側壁外周側コーナー部の透孔８ｄから外部に導かれるので、このドレン管４の透孔８ｄ付近における曲がりを小さくすることができる。
【００３２】
なお、本発明は、上述した実施の形態に限定されるわけではなく、その他種々の変更が可能である。例えば、冷媒管３およびドレン管４は、建物の外壁面１に沿って配管されるものでなくとも、内壁面に沿って配管されるものであってもよい。
【００３３】
また、カバー体Ｃ２および仕切部材１９の上述の構造は、曲がり配管部保護カバー８に適用されるだけでなく、屈曲配管部保護カバー、直状保護カバー、接続用保護カバー、その他の保護カバーに適用されてもよい。ここで、屈曲配管部保護カバーとは、建物の壁面に形成された壁孔を通って壁面に沿って配管されるエアコン用の冷媒管およびドレン管の、壁孔から壁面に移る屈曲配管部を収容して保護する保護カバーである。この屈曲配管部保護カバーにおいては、冷媒管およびドレン管の、前記屈曲配管部から延びたところの、壁面に沿って配管される部分に、前記仕切部材１９と同様の構造の仕切部材が設けられる。
【００３４】
さらに、カバー体Ｃ２および仕切部材１９の上述の構造が、直状保護カバーに適用される実施の形態を、図６および図７に示す。この直状保護カバー２０は、冷媒管３およびドレン管４が直線状に配管される、直状配管部を収容するためのものであり、曲がり配管部保護カバー８と比較すると、直線状に形成されており、その延びる方向が異なるが、他はほぼ同様の構造である。以下に異なる点を主に説明する。この直状保護カバー２０の、取付孔１７ｄを含む第１の取付部１７ｃおよび第２の取付部１７ｅは、それぞれ一つのみであり、冷媒管３およびドレン管４が配管される方向となる長手方向の全長に渡って延びている。こうして、仕切部材１９は、基台１７の長手方向の任意の位置に取り付けられる。もっとも、この第１の取付部１７ｃや第２の取付部１７ｅは、長手方向に連続的に延びて形成されなくとも、断続的に複数形成されてもよい。そして、基台１７には、それぞれの側壁１７ｂ、１７ｂに、外側に開口する係合凹部１７ｉが設けられている。一方、蓋体１８には、それぞれの側壁１８ｂ、１８ｂの先端部分に、内側に突出する係合凸部１８ｅが設けられており、これら係合凸部１８ｅ、１８ｅと、前記基台１７の係合凹部１７ｉ、１７ｉとが互いに係合することで、基台１７に蓋体１８が、着脱可能に組み付けられる構造となっている。また、ドレン管収容部８ｂ側の側壁１７ｂの基端部の内側には、切欠き１７ｊが長手方向に連続して設けられている。そして、この切欠き１７ｊと、蓋体１８の側壁１８ｂに長手方向に連続して設けられる切欠き１８ｄとが、ドレン管収容部８ｂに収容されるドレン管４を外部に導く透孔を形成するための透孔形成手段となっている。すなわち、側壁１７ｂ、１８ｂの一部を、切欠き１７ｊ、１８ｄを利用して、折り取るまたは切り取る等すると、その部分に、透孔が形成される。つまり、側壁１７ｂ、１８ｂの先端から切欠き１７ｊ、１８ｄに向かって切り込んで、次いで、その透孔を必要とする部分を切欠き１７ｊ、１８ｄ部分で折り取るまたは切り取る等すると、その部分が透孔となる。
【００３５】
また、カバー体Ｃ２において、蓋体１８は、基台１７に着脱可能に組み付けられるが、ヒンジ等により開閉可能に組み付けられてもよい。
【００３６】
また、カバー体Ｃ２において、透孔形成手段となる切欠き１７ｈ、１８ｃ、１８ｄは、透孔を形成することができるものであれば、基台１７と蓋体１８の両者に設けられなくとも、基台１７または蓋体１８のいずれか一方のみに設けられてもよい。さらに、透孔形成手段は、切欠き１７ｈ、１８ｃ、１８ｄでなくとも、薄肉形状や切り込み等、その他の形状、構造であってもよい。
【００３７】
また、仕切部材１９において、第２の被取付部１９ｆを無くすことで、第１の仕切部１９ｃが、第１の被取付部１９ｅから適宜の長さで延びてもよく、特に、第２の仕切部１９ｄと対称形状となるように延びてもよい。さらには、第１の仕切部１９ｃをなくして、仕切部１９ａは、第２の仕切部１９ｄのみからなっていてもよい。このとき、第２の仕切部１９ｄは、図８に示すように、第１の被取付部１９ｂからほぼ直角に折れ曲がって蓋体１８側に真っ直ぐ延びるものであってもよい。また、前記と反対に、第２の仕切部１９ｄを無くして、仕切部１９ａが、第１の仕切部１９ｃのみからなっていてもよい。また、第２の仕切部１９ｄは、冷媒管３側の側面のみを覆うものでなくとも、冷媒管３の、蓋体１７側の全体を覆うものであってもよく、この場合には、開口部８ｃは形成されない。
【００３８】
【発明の効果】
以上、詳述したところから明らかなように、この発明に係る冷媒管およびドレン管の、保護カバー並びにカバー体によれば、次の効果がある。
【００３９】
請求項１および２に記載された冷媒管およびドレン管の保護カバーによれば、仕切部材によって、冷媒管とドレン管との互いの干渉を防ぐことができ、ドレン管が冷媒管によって押し潰される虞がない。そして、基台から蓋体の覆いを除き、基台に仕切部材が取り付けられる前においては、冷媒管およびドレン管を、冷媒管収容部およびドレン管収容部の延びる方向と直交する方向となる蓋体側から、冷媒管収容部およびドレン管収容部に入れることができるので、冷媒管やドレン管の、配管作業を容易に行うことができる。
【００４０】
しかも、基台に対する仕切部材の取り付け位置を変えるだけで、冷媒管収容部とドレン管収容部との並びを、左右逆にすることもできる。
【００４１】
また、請求項３に記載された冷媒管およびドレン管の保護カバーによれば、加えて、蓋体を基台に組み付ける際には、仕切部材の保持部によって冷媒管が冷媒管収容部内に保持されているので、蓋体で冷媒管を押さえつける必要がなく、基台への蓋体の組み付けが容易となる。
【００４２】
また、請求項４に記載された冷媒管およびドレン管の保護カバーによれば、加えて、基台から蓋体の覆いを除けば、ドレン管を、ドレン管収容部の延びる方向と直交する方向となる蓋体側から、ドレン管収容部に出し入れすることができ、しかも、冷媒管によって邪魔されることなく出し入れすることができるので、ドレン管の、配管作業や交換作業を容易に行うことができる。さらに、基台から蓋体の覆いを除くことで、ドレン管収容部に収容されたドレン管を、目視したり、手で触れたりすることができるので、ドレン管の配管の有無の確認や、ドレン管の潰れ部分の有無およびその位置の確認を容易に行うことができる。
【００４３】
また、請求項５に記載された冷媒管およびドレン管の保護カバーによれば、加えて、基台および／または蓋体の側壁に設けられる透孔形成手段により、状況に応じて、側壁に透孔を形成することで、その透孔を通して、ドレン管収容部に収容されるドレン管を外部に導くことができる。
【００４４】
また、請求項６に記載された冷媒管およびドレン管の保護カバーによれば、冷媒管およびドレン管の曲がり配管部を保護することができる。
【００４５】
また、請求項７に記載された冷媒管およびドレン管の保護カバーによれば、加えて、基台および／または蓋体の側壁外周側コーナー部に設けられる透孔形成手段により、状況に応じて、この側壁外周側コーナー部に透孔を形成することで、その透孔を通して、ドレン管収容部に収容されるドレン管を外部に導くことができる。
【００４６】
また、請求項８に記載された冷媒管およびドレン管の保護カバーによれば、冷媒管およびドレン管の直状配管部を保護することができる。
【００４７】
【００４８】
また、請求項９および１０に記載された冷媒管およびドレン管のカバー体によれば、このカバー体に取り付けられる仕切部材によって、冷媒管とドレン管との互いの干渉を防ぐことができ、ドレン管が冷媒管によって押し潰される虞がない。そして、基台から蓋体の覆いを除き、基台に仕切部材が取り付けられる前においては、冷媒管およびドレン管を、冷媒管収容部およびドレン管収容部の延びる方向と直交する方向となる蓋体側から、冷媒管収容部およびドレン管収容部に入れることができるので、冷媒管やドレン管の、配管作業を容易に行うことができる。しかも、基台に対する仕切部材の取り付け位置を変えるだけで、冷媒管収容部とドレン管収容部との並びを、左右逆にすることもできる。
【図面の簡単な説明】
【図１】この発明に係る冷媒管およびドレン管の、保護カバー並びにカバー体の一実施の形態の、蓋体を外した状態を示す平面図である。
【図２】同じく、蓋体を組み付けた状態を示す拡大横断面図である。
【図３】同じく、基台の平面図である。
【図４】同じく、仕切部材を反転した図２相当図である。
【図５】同じく、透孔を形成した例を示す平面図である。
【図６】この発明に係る冷媒管およびドレン管の、保護カバー並びにカバー体の他の実施の形態の、蓋体を外した状態を示す平面図である。
【図７】同じく、蓋体を組み付けた状態を示す拡大横断面図である。
【図８】この発明に係る冷媒管およびドレン管の、保護カバー並びにカバー体のさらに他の実施の形態の、蓋体を組み付けた状態を示す拡大横断面図である。
【図９】従来の保護カバーを示す断面図である。
【符号の説明】
１  外壁面（壁面）                ３  冷媒管
３ｃ  曲がり配管部                ４  ドレン管
４ｃ  曲がり配管部          ８  曲がり配管部保護カバー（保護カバー）
８ａ  冷媒管収容部                ８ｂ  ドレン管収容部
８ｃ  開口部                      ８ｄ  透孔
１７  基台                        １７ｂ  側壁
１７ｆ  仕切部材取付部（取付部）  １７ｈ  切欠き（透孔形成手段）
１８  蓋体                        １８ｂ  側壁
１８ｃ  切欠き（透孔形成手段）    １８ｄ  切欠き（透孔形成手段）
１９  仕切部材                    １９ｃ  第１の仕切部（保持部）
２０直状保護カバー（保護カバー）  Ｃ２  カバー体
【図１】
0003543062.tif 000002
【図２】
0003543062.tif 000003
【図３】
0003543062.tif 000004
【図４】
0003543062.tif 000005
【図５】
0003543062.tif 000006
【図６】
0003543062.tif 000007
【図７】
0003543062.tif 000008
【図８】
0003543062.tif 000009
【図９】
0003543062.tif 000010